(57)【要約】      （修正有）【課題】容易に清掃パッケージの交換ができる分解・組立容易な清掃パッケージのモップを提供する。【解決手段】清掃パッケージのモップは把持棒１０、フレームブラケット２０、２個の制動ピース６１、２個の可動棒７１、清掃パッケージ８０、及び３０水絞り機構を有し、前記２個の可動棒７１は、数箇の清掃パッケージ８０の開口を組立に用い、且つ、この清掃パッケージ８０に相対応する板ピース８１及び略Ｌ型を呈した係合素子、並びに、前記制動ピース６１上へ嵌合するのを夫々に設けていることを特徴とする。【選択図】図２
0003157411.tif 000002
【実用新案登録請求の範囲】
【請求項１】
清掃パッケージのモップは長尺の把持棒１０と、該把持棒１０の底部１２に固設され、且つ、該把持棒１０の両側に対象的に固定端２４を有するフレームブラケット２０とを有し、更に、該フレームブラケット２０の底部の両側に設けられ、且つ、頂端７３が該フレームブラケット２０の前記固定端２４に枢着され、底端７５が制動ピース６１に枢着される可動棒７１を有し、更に、清掃パッケージ８０は略長条状に形成されると共に、前記制動ピース６１に枢着され、該制動ピース６１を率動して内向きに縮小し、且つ、清掃パッケージの水絞り機構３０を押圧するように構成され、
前記制動ピース６１を率動して、内向けに縮小して清掃パッケージの水絞り機構３０を押圧できるように構成され、
又、前記２個の制動ピース６１は、それぞれ複数の開口６５を有し、該開口６５に対応する係合素子を清掃パッケージ８０を装着した板ピース８１上に設け、且つ、該係合素子は略L型を呈し、垂直部と水平部を有して、板ピース８１の頂面に固設され、又、前記垂直部の尾端に設けた水平部は、制動ピース６１の外側に向けて延引して、下方から開口を貫通した後、外側に向けて移動而も制動ピース頂面に嵌合するように構成され、前記係合素子が制動ピース６１の開口６５へ進入した後、掃除素子が外に向く弾力で数箇の係合素子をして数箇の開口辺縁を拘持し、且つ、清掃パッケージを制動ピース６１の底面に組立てることを特徴とする分解・組立容易な清掃パッケージのモップ。
【請求項２】
上記制動ピース６１の頂面開口に近い外側には凸起６７を設け、且つ、係合素子の水平部底面に前記凸起６７と嵌合する凹部スロット８７を設け、該凸起と凹スロットとを嵌合させることにより前記係合素子を定位置に固定することができるように形成されたことを特徴とする請求項１記載の分解・組立容易な清掃パッケージのモップ。
【考案の詳細な説明】
【技術分野】
【０００１】
本考案は、分解・組み立て容易な清掃パッケージのモップに関するものであり、特に、清掃パッケージに板ピース及び略L型の係合素子を設け、該板ピース上の係合素子は係合、或いは脱離して清掃パッケージの分解・組立を容易にした分解・組立容易な清掃パッケージのモップに関するものである。
【背景技術】
【０００２】
日常の生活中において床面のぞうきんかけ、水拭きは,通常モップを用いてぞうきんかけ、水拭きしていた。これはモップを用いることでぞうきんかけ、水拭きの際、腰の折り曲げ、うずくまる辛苦が減少できる。而も従来のモップ構造は把持棒を有し、該把持棒前端に布地条或いは綿条等の清掃パッケージを設けている。但し、此種のモップは水絞り裝置がないので人手によって水絞り、乾かす必要があると言う不都合が存在する。
【０００３】
上記不都合を解決するために,考案者は日本国実用新案登録第3097334号にてモップ改良構造を提案している。該モップ構造は、図5に示す如くモップは人の手によって把持するための把持棒１０、とフレームブラケット２０、該把持棒底端１２に固設し、両側に対称的に設けた２個の固定端２４を具えたフレームブラケット２０と、二つの制動ピース６１、対称的にフレームブラケット底部の両側に設け、数箇の開口６５を有する２個の制動ピース６１とを備え、更に、可動棒７１であって、該可動棒７１の頂端７３を前記フレームブラケットの固定端に枢着し, 底端７５を二個の制動ピースに枢着している。又、清掃パッケージ８０ａは、柔軟板ピース８１ａとその下に固設した掃除素子８２ａから成り、又、柔軟板ピース８１ａ上には数箇の弾性状の係合素子８３ａが一体に成形しており、更に、 係合素子８３ａの頂部にフック状体８４ａを設けてあると共に、内向きに縮少而も絞圧し、清掃パッケージの水絞り機構３０は二個の制動ピース６１を率動するのに用いる。そして, フック状体８４ａは二個の制動ピース６１の開口６５中に嵌合し、この開口６５中から取り去ることができる故、清掃パッケージの交換ができる。
【０００４】
然しながら、その従来技術は単に清掃パッケージの交換はできるが、図に示す如く、二制動ピース下の清掃パッケージ８０ａは、各4個の係合素子８３ａを配しており、且つ、その相互間と開口６５とは絶対的接続関係がない。このため、 パッケージ分解の時に該係合素子８３ａを取り外すことは極めて困難である。
【特許文献１】実用新案登録第３０９７３３４号公報
【考案の概要】
【考案が解決しようとする課題】
【０００５】
本考案の目的は容易に清掃パッケージの交換ができる分解・組立容易な清掃パッケージのモップを提供するにある。
【課題を解決するための手段】
【０００６】
本考案は上記目的を達成するために提案せられたものであり、請求項１記載の考案は、清掃パッケージのモップは長尺の把持棒１０と、該把持棒１０の底部１２に固設され、且つ、該把持棒１０の両側に対象的に固定端２４を有するフレームブラケット２０とを有し、更に、該フレームブラケット２０の底部の両側に設けられ、且つ、頂端７３が該フレームブラケット２０の前記固定端２４に枢着され、底端７５が制動ピース６１に枢着される可動棒７１を有し、更に、清掃パッケージ８０は略長条状に形成されると共に、前記制動ピース６１に枢着され、該制動ピース６１を率動して内向きに縮小し、且つ、清掃パッケージの水絞り機構３０を押圧するように構成され、
前記制動ピース６１を率動して、内向けに縮小して清掃パッケージの水絞り機構３０を押圧できるように構成され、
又、前記２個の制動ピース６１は、それぞれ複数の開口６５を有し、該開口６５に対応する係合素子を清掃パッケージ８０を装着した板ピース８１上に設け、且つ、該係合素子は略L型を呈し、垂直部と水平部を有して、板ピース８１の頂面に固設され、又、前記垂直部の尾端に設けた水平部は、制動ピース６１の外側に向けて延引して、下方から開口を貫通した後、外側に向けて移動而も制動ピース頂面に嵌合するように構成され、前記係合素子が制動ピース６１の開口６５へ進入した後、掃除素子が外に向く弾力で数箇の係合素子をして数箇の開口辺縁を拘持し、且つ、清掃パッケージを制動ピース６１の底面に組立てることを特徴とする分解・組立容易な清掃パッケージのモップを提供する。
【０００７】
又、請求項２記載の考案は、上記制動ピース６１の頂面開口に近い外側には凸起６７を設け、且つ、係合素子の水平部底面に前記凸起６７と嵌合する凹部スロット８７を設け、該凸起と凹スロットとを嵌合させることにより前記係合素子を定位置に固定することができるように形成されたことを特徴とする請求項１記載の分解・組立容易な清掃パッケージのモップを提供する。
【考案の効果】
【０００８】
本考案は上記構成に係るから、係合素子と制動ピースの開口が相互に容易に嵌合し、或いは、脱離することができるので、清掃ピースの分解・組立も容易となり、且つ、凸起と凹スロットを介して相互に嵌合するので、清掃パッケージを制動ピース底面に容易に組立てることが可能となる。
【図面の簡単な説明】
【０００９】
【図１】本考案の立体図。
【図２】本考案の立体分解図。
【図３】本考案の係合素子の水平部を示し，制動ピースの外側向きに延引した拡大側面図。
【図４】本考案の部分的係合素子が制動ピースから脱離している状態を示す斜視図。
【図５】従来のモップの立体分解図。
【考案を実施するための最良の形態】
【００１０】
本考案は、清掃パッケージの分解・組立並びに鋼管が容易にできるようにするため、清掃パッケージのモップは長尺の把持棒１０と、該把持棒１０の底部１２に固設され、且つ、該把持棒１０の両側に対象的に固定端２４を有するフレームブラケット２０とを有し、更に、該フレームブラケット２０の底部の両側に設けられ、且つ、頂端７３が該フレームブラケット２０の前記固定端２４に枢着され、底端７５が制動ピース６１に枢着される可動棒７１を有し、更に、清掃パッケージ８０は略長条状に形成されると共に、前記制動ピース６１に枢着され、該制動ピース６１を率動して内向きに縮小し、且つ、清掃パッケージの水絞り機構３０を押圧するように構成され、
前記制動ピース６１を率動して、内向けに縮小して清掃パッケージの水絞り機構３０を押圧できるように構成され、
又、前記２個の制動ピース６１は、それぞれ複数の開口６５を有し、該開口６５に対応する係合素子を清掃パッケージ８０を装着した板ピース８１上に設け、且つ、該係合素子は略L型を呈し、垂直部と水平部を有して、板ピース８１の頂面に固設され、又、前記垂直部の尾端に設けた水平部は、制動ピース６１の外側に向けて延引して、下方から開口を貫通した後、外側に向けて移動而も制動ピース頂面に嵌合するように構成され、前記係合素子が制動ピース６１の開口６５へ進入した後、掃除素子が外に向く弾力で数箇の係合素子をして数箇の開口辺縁を拘持し、且つ、清掃パッケージを制動ピース６１の底面に組立てることを特徴とする分解・組立容易な清掃パッケージのモップを提供することにより実現した。
【実施例】
【００１１】
以下、本考案の好適な実施例を図に従って詳述する。
【００１２】
図１〜図４に示す如く、本考案の分解・組立容易な清掃パッケージのモップ１は、握把持棒１０とフレームブラケット２０及び２個の制動ピース６１、２個の可動棒７１、掃除パッケージ８０、及び水絞り機構３０（本考案のモップ１はあらまし図５に示すものと同じ、その同じ符号も同じ部品或いはパッケージを代表する）を有する。その特徴は、２個の制動ピース６１は夫々開口６５を有し、該開口６５に対応する係合素子８３を有する板ピース８１を設け、該係合素子８３と前記開口６５とを嵌合させて係合及び脱離を容易にし、清掃パッケージ８０の交換目的を達成できるように構成されている。
【００１３】
図２に示す如く, 水絞り機構３０は制動ピース６１を率動し、その清掃パッケージの水絞り機構３０の内向けに縮少、絞圧に用いる。そして各パッケージの相対応する動作が従来部分であっ、本文では別に述べない。
【００１４】
図３に示す如く、清掃パッケージ８０は、制動ピース６１に対応する板ピース８１、及び該板ピース８１底面に設けた掃除素子８２から成り、且つ、該板ピース８１開口６５に対応する係合素子８３が設けられている。そして係合素子６３はあらましL型に形成され、垂直部８４を有し,板ピース８１頂面垂直に固設されている。そして、その垂直部尾端に水平部８６を設け,制動ピース６１に向けて外側に延設され、並び、下方からその開口６５を通過した後、外側に向いて移動して制動ピース６１頂面に嵌合する。又 係合素子８３は掃除素子８２の弾性を介して、掃除素子が内側向けに絞圧の圧力を受けた後、外頂向けに持つ弾力が生じ、斯くして係合素子８３を外向きに開口６５の辺縁にかたくあてて、これでもって円滑且つ、安定的に制動ピース６１の開口６５へ嵌合する。
【００１５】
図４に示す板ピース８１上に設けた係合素子８３、前記制動ピース６１に設けた開口６５に容易に嵌合し、或いは脱離できるため清掃パッケージ８０の交換目的を達成する。
図3に示す如く、清掃パッケージ８０の取付を安定的にするために制動ピース６１の頂面開口６５に近い外側に凸起６７を設け、且つ、前記係合素子８３の水平部８６底面に凸起６７を設け、且つ、該係合素子８３の水平部８６底面に凸起６７と嵌合できる凹スロット８７を設ける。そして、この係合素子８３が開口６５の辺縁に嵌合された時、前記水平部８６の凹スロット８７は、前記凸起６７と相互に嵌合し、該係合素子８３が定一に尾固定され、不容易に後退しないことで, その係合素子と開口６５辺縁の嵌合が安定的且つ、強固である。
【００１６】
以上の素子組合せを介して、前記係合素子８３と制動ピース６１の開口６５が互いに嵌合或いは脱離することができることにより、容易組立或いは分解又は前記清掃パッケージ８０が本願発明の目的に達成すると共に、前記凸起６７と凹スロット８７を介して互いに嵌合できて、清掃パッケージ８０を制動ピース底面に容易に組立てることが可能となる。
【００１７】
尚、本考案は、本考案の精神を逸脱しない限り種々の改変を為すことができ、そして、本考案が該改変されたものに及ぶことは当然である。
【符号の説明】
【００１８】
１      モップ                        
１０    把持棒
１２    底端                         
２０    フレームブラケット
２４    固定端                        
３０    水絞り機構
６１    制動ピース
６５    開口
６７    凸起                         
７１    可動棒
７３    頂端                         
７５    底端
８０，８０ａ   清掃パッケージ      
８１    板ピース
８１ａ  柔軟板ピース                 
８２，８２ａ  掃除素子                
８３，８３ａ  係合素子
８４    垂直部                       
８４ａ  フック状体
８６    水平部
８７    凹スロット  
【図１】
0003157411.tif 000003
【図２】
0003157411.tif 000004
【図３】
0003157411.tif 000005
【図４】
0003157411.tif 000006
【図５】
0003157411.tif 000007